(57)【要約】【課題】クランクシャフトを含む筒状体被加工物の種類・型式など、被加工物の加工箇所数の追加又は削減があっても、アームの追加又は削減することが容易で、各被加工物専用の一連の複数の比較的剛性の凹面を有するシュー組立体を支持するアームを含むユニット全体を改造する必要がないフイルムラップ装置のアームモジュールを提供。【解決手段】モジュール本体21の上下に固定された一対の直動スライド 11、12に固定された上下の中板 22,23に固定された一対の側板 24,24と、一対の側板 24,24に固定された軸受け 3と、軸受け 3に回転可能に支持され被加工物 2に向けて移動可能に支持された一対の開閉アーム 6、6 と、各開閉アーム 6、6 に支持された比較的剛性の凹面を有するシュー組立体 5、5 及びアーム開閉用クランプシリンダ 7を有し、アームモジュール20は機械本体10に対し一体的に交換可能なモジュールとして組付けられたものである。【選択図】図１
2008207297.tif 000002
【特許請求の範囲】
【請求項１】
機械本体にそれぞれ差し替え可能に組付けられたアームモジュールであって、各アームモジュールは、モジュール本体と、モジュール本体の上下に固定された一対の直動スライドと、一対の直動スライドの可動部に固定された上下の中板にそれを挟むように固定された一対の側板と、一対の側板の中央に固定された軸受けと、前記軸受けに回転可能に支持されかつ前記一対の直動スライドの可動部を介して被加工物に向けてＺ軸方向に移動可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームの反シュー組立体側端部に固定されたアーム開閉用クランプシリンダを有し、前記アームモジュールは前記機械本体に対し一体的に交換可能なモジュールとして組付けられたことを特徴とするフイルムラップ装置のアームモジュール。
【請求項２】
前記アームモジュールの各側板は、１枚の薄板又はＺ軸方向に並べた複数枚の薄板からなり、前記一対の直動スライドの厚さは前記中板と一対の薄板の側板の厚さの合計と同じにされたことを特徴とする請求項１記載のフイルムラップ装置のアームモジュール。
【請求項３】
前記アームモジュールは、クランクシャフトを含む被加工物の複数の軸表面を加工するように、前記機械本体に複数個搭載され、複数の軸物被加工物表面を一度に加工できるようにしたことを特徴とする請求項１又は請求項２記載のフイルムラップ装置のアームモジュール。
【発明の詳細な説明】
【技術分野】
【０００１】
本発明は、比較的非圧縮性の研磨材被覆フイルムと、該フイルムの研磨材被覆面を回転される加工面を有する鋼管、自動車部品等の被加工物の軸表面に接触させ押圧する比較的剛性の凹面を有するシュー組立体とからなり、研磨材被覆フイルムを使用して被加工物表面を極めて精密にミクロ仕上げするフイルムラップ装置のアームモジュールに関する。
【背景技術】
【０００２】
従来の研磨材被覆フイルムと、該フイルム研磨材被覆面をクランクシャフトを含む筒状体被加工物表面に接触させ押圧する剛性表面を有するシュー組立体とからなるフイルムラップ装置としては、例えば特許文献１に開示するものがある。これは特許文献１の図７、図９に記載するように、被加工物の軸（Ｘ）方向及び軸（Ｘ）方向に直交する直交（Ｚ軸）方向に移動可能に支持された一対のアームに固定した一対のシューが被加工物の回転軸又は偏心軸をクランプし、被加工物の回転軸又は偏心軸を自転・公転させて回転軸又は偏心軸のミクロ仕上げを行っていた。
【特許文献１】特許第３５５８９１７号公報図７、図９
【特許文献２】特願平８−２５７８８９号公報図１７、〔０１０１〕〜〔０１０４〕
【発明の開示】
【発明が解決しようとする課題】
【０００３】
かかる従来のフイルムラップ装置の研磨材被覆フイルムと、シュー組立体の剛性凹面を形成する各ストーンは、クランクシャフトを含む筒状体被加工物の軸径又は軸幅、研磨材被覆フイルムの面粗さに応じて製作されているため、例えばクランクシャフトを含む筒状体被加工物の種類・型式など、被加工物の所定の外面又は内面の軸径、軸幅、軸数又は研磨材被覆フイルムの面粗さのいずれかが違えば、それ専用の一連の複数の剛性凹面を形成するストーンを有するシュー組立体、それ専用の研磨材被覆フイルム及びそれ専用の研磨材被覆フイルムホルダが必要であった。特許文献２では一対の開閉アームの先端にカートリッジ格納室を形成し、各カートリッジ格納室に各カートリッジをそれぞれ互いに対向させて格納するものが開示され、各カートリッジは、研磨材被覆フイルムをフイルム供給リールとフイルム巻き取りリールとに巻き付けることによって保持するとともに、研磨材被覆フイルムを被加工物に押圧するシューを備え互いに幅寸法が異なるものを保持可能とされるが、各フイルム巻き取りリール毎に１個のモータで駆動されるので、カートリッジの幅が広くなり、多数の被加工物を有するクランクシャフトのような軸物の被加工物の隣接する被加工物間の距離より幅が広くなり使用できないものがあった。そこで、被加工物の所定の外面又は内面の加工箇所数の変化に対してシュー組立体、研磨材被覆フイルム及びフイルムホルダを追加又は削減することは非常に困難で、それ専用の一連の複数のシュー組立体、研磨材被覆フイルム及びフイルムホルダを含むユニット全体を改造する必要があった。
【０００４】
本発明の課題は、クランクシャフトを含む筒状体被加工物の種類・型式など、被加工物の加工箇所数の追加又は削減があっても、アームの追加又は削減することが容易で、各被加工物専用の一連の複数の比較的剛性の凹面を有するシュー組立体を支持するアームを含むユニット全体を改造する必要がないフイルムラップ装置のアームモジュールを提供することにある。
【課題を解決するための手段】
【０００５】
このため本発明は、機械本体にそれぞれ差し替え可能に組付けられたアームモジュールであって、各アームモジュールは、モジュール本体と、モジュール本体の上下に固定された一対の直動スライドと、一対の直動スライドの可動部に固定された上下の中板にそれを挟むように固定された一対の側板と、一対の側板の中央に固定された軸受けと、前記軸受けに回転可能に支持されかつ前記一対の直動スライドの可動部を介して被加工物に向けてＺ軸方向に移動可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームの反シュー組立体側端部に固定されたアーム開閉用クランプシリンダを有し、前記アームモジュールは前記機械本体に対し一体的に交換可能なモジュールとして組付けられたことを特徴とするフイルムラップ装置のアームモジュールを提供することによって上記した従来製品の課題を解決した。
【発明の効果】
【０００６】
本発明ではかかる構成により、各アームモジュールは、モジュール本体と、モジュール本体の上下に固定された一対の直動スライドと、一対の直動スライドの可動部に固定された上下の中板にそれを挟むように固定された一対の側板と、一対の側板の中央に固定された軸受けと、前記軸受けに回転可能に支持されかつ前記一対の直動スライドの可動部を介して被加工物に向けてＺ軸方向に移動可能に支持された一対の開閉アームと、各開閉アームにそれぞれ支持された比較的非圧縮性の研磨材被覆フイルムの研磨材被覆面を被加工物の軸表面に接触させ押圧する一対の比較的剛性の凹面を有するシュー組立体及び前記開閉アームの反シュー組立体側端部に固定されたアーム開閉用クランプシリンダを有し、前記アームモジュールは前記機械本体に対し一体的に交換可能なモジュールとして組付けられたので、クランクシャフトを含む筒状体被加工物の種類・型式など、被加工物の加工箇所数の追加又は削減があっても、アームの追加又は削減することが容易で、各被加工物専用の一連の複数の比較的剛性の凹面を有するシュー組立体を支持するアームを含むユニット全体を改造する必要がないモジュール化したフイルムラップ装置のアームモジュールを提供するものとなった。
【０００７】
好ましくは、前記アームモジュールの各側板は、１枚の薄板又はＺ軸方向に並べた複数枚の薄板からなり、前記一対の直動スライドの厚さは前記中板と一対の薄板の側板の厚さの合計と同じにされ、又は、前記アームモジュールは、クランクシャフトを含む被加工物の複数の軸表面を加工するように、前記機械本体に複数個搭載され、複数の軸物被加工物表面を一度に加工できるようにした。
【発明を実施するための最良の形態】
【０００８】
本発明の実施形態を図面を参照して説明する。図１（ａ）は本発明の実施形態のフイルムラップ装置のアームモジュール20の概略立面側面図、（ｂ）は（ａ）Ｂ矢視方向からみたアーム開閉用クランプシリンダを省略した右側面図、図２は図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡の移動軌跡を示し、図３はクランクシャフトを含む被加工物の複数の軸表面を一度に加工できるよう、複数個からなる図１（ａ）のアームモジュールを搭載したフイルムラップ装置の要部上面図を示す。
【０００９】
図１に示す本発明の実施形態のフイルムラップ装置のアームモジュール20は、機械本体10（図３）にそれぞれ差し替え可能に組付けられたアームモジュール20であって、各アームモジュール20は、モジュール本体21と、モジュール本体21の上下に固定された一対の直動スライド 11、12と、一対の直動スライド 11、12の可動部 11a、12aに固定された上下の中板 22,23にそれを挟むように固定された一対の側板 24,24と、一対の側板 24,24の中央に固定された軸受け 3と、軸受け 3に回転可能に支持されかつ一対の直動スライドの可動部 11a、12aを介して被加工物 2に向けてＺ軸方向に移動可能に支持された一対の開閉アーム 6、6 と、各開閉アーム 6、6 にそれぞれ支持された比較的非圧縮性の研磨材被覆フイルム 1の研磨材被覆面を被加工物 2の軸表面に接触させ押圧する一対の比較的剛性の凹面を有するシュー組立体 5、5 及び各開閉アーム 6、6 の反シュー組立体側端部に固定されたアーム開閉用クランプシリンダ 7を有し、アームモジュール20は機械本体10に対し一体的に交換可能なモジュールとして組付けられたものである。図２に示す、図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡を示す説明図に示すように、被加工物 2が自転及び公転させられると、軸中心3aは図１の位置3aから一対の直動スライド 11、12に案内されて、Ｚ軸方向に3cの位置に、ピン中心4aは4cの位置に移動する。
【００１０】
かかる構成により、本発明の実施形態のフイルムラップ装置のアームモジュール20は、モジュール本体21と、モジュール本体21の上下に固定された一対の直動スライド 11、12と、一対の直動スライド 11、12の可動部 11a、12aに固定された上下の中板 22,23にそれを挟むように固定された一対の側板 24,24と、一対の側板 24,24の中央に固定された軸受け 3と、軸受け 3に回転可能に支持されかつ一対の直動スライドの可動部 11a、12aを介して被加工物 2に向けてＺ軸方向に移動可能に支持された一対の開閉アーム 6、6 と、各開閉アーム 6、6 にそれぞれ支持された比較的非圧縮性の研磨材被覆フイルム 1の研磨材被覆面を被加工物 2の軸表面に接触させ押圧する一対の比較的剛性の凹面を有するシュー組立体 5、5 及び各開閉アーム 6、6 の反シュー組立体側端部に固定されたアーム開閉用クランプシリンダ 7を有し、アームモジュール20は機械本体10に対し一体的に交換可能なモジュールとして組付けられたので、クランクシャフトを含む筒状体被加工物の種類・型式など、被加工物の加工箇所数の追加又は削減があっても、アームの追加又は削減することが容易で、各被加工物専用の一連の複数の比較的剛性の凹面を有するシュー組立体を支持するアームを含むユニット全体を改造する必要がないフイルムラップ装置のアームモジュールを提供するものとなった。
【００１１】
本発明の実施形態のフイルムラップ装置のアームモジュール20では、アームモジュールの各側板24、24は、Ｚ軸方向に複数枚薄板を並べているが、１枚の薄板でもよい。又、一対の直動スライド11、12の厚さは、中板22、23を挟んだ一対の薄板の側板24、24の合計厚さと同じにされ、アームモジュール20全体が薄く形成されている。
さらに、図１に示すアームモジュール20は、カセット本体21にそれぞれ固定した一対の直動スライド 11、12、カセット本体21及びアーム開閉用クランプシリンダ 7が幅狭に薄くされているので、図３の要部上面図に示すように、クランクシャフトを含む被加工物の複数の軸表面に整合させて、これら被加工物の複数の軸表面を一度に加工できる、複数個からなる図１のアームモジュール20を搭載したマルチフイルムラップ装置30とすることができる。
【図面の簡単な説明】
【００１２】
【図１】（ａ）は本発明の実施形態のフイルムラップ装置のアームモジュール20の概略立面側面図、（ｂ）は（ａ）Ｂ矢視方向からみたアーム開閉用クランプシリンダを省略した右側面図を示す。
【図２】図１（ａ）のアームモジュール20の開閉アーム 6、6 に支持されたシュー組立体 5、5 に把持された被加工物 2のジャーナル中心2a及び公転するピン中心4aの軌跡と、回転される被加工物の軸に応動して移動させられる軸受け中心3aの軌跡の移動軌跡を示す。
【図３】クランクシャフトを含む被加工物の複数の軸表面を一度に加工できるよう図１（ａ）のアームモジュールを複数個搭載したフイルムラップ装置の要部上面図を示す。
【符号の説明】
【００１３】
1 ：研磨材被覆フイルム、2 ：被加工物、3 ：軸受け、3a：軸受け中心、5 ：シュー組立体6 ：開閉アーム、7 ：アーム開閉用クランプシリンダ、10：機械本体
11、12 ：直動スライド、11a 、12a：直動スライド 11、12の可動部
20：アームモジュール、22、23 ：中板、 24,24：側板
【図１】
2008207297.tif 000003
【図２】
2008207297.tif 000004
【図３】
2008207297.tif 000005